(57)【要約】      （修正有）【課題】大きなスイングアークでスイングする動作を体得することができるゴルフスイング練習具、及び、矯正部を提供する。【解決手段】ゴルフのスイングを矯正するためのゴルフスイング練習具１は、棒状に形成されたシャフト２と、シャフト２の長手方向の一端部に設けられたグリップ部３と、シャフト２の一端部の先端に連なりかつシャフト２の直線上に設けられる矯正部５と、を備えている。【選択図】図１
0003167368.tif 000002
【実用新案登録請求の範囲】
【請求項１】
ゴルフのスイングを矯正するためのゴルフスイング練習具であって、
棒状に形成されたシャフトと、
前記シャフトの長手方向の一端部に設けられたグリップ部と、
前記シャフトの前記一端部の先端に連なりかつ前記シャフトの直線上に設けられる矯正部と、を備えたことを特徴とするゴルフスイング練習具。
【請求項２】
前記シャフトは、前記矯正部を収容する筒状に形成され、前記矯正部は、前記シャフトの内側及び外側にスライド自在に取り付けられており、
前記矯正部は前記シャフトの内側に収容された状態と、前記シャフトの外側に露出した状態と、で前記シャフトに固定されることを特徴とする請求項１に記載のゴルフスイング練習具。
【請求項３】
棒状に形成されたシャフトと、前記シャフトの長手方向の一端部にグリップ部が設けられたゴルフクラブ、または、ゴルフスイング練習具の、前記グリップ部に取り付けられ、前記シャフトの前記長手方向に沿って伸びた矯正部であって、
前記矯正部は、可撓性を有する板状の部材と、
前記部材を前記グリップ部の外周部に巻きつけた状態で、前記部材を前記グリップ部の外周部に着脱自在に固定する固定手段と、を備えたことを特徴とする矯正部。
【考案の詳細な説明】
【技術分野】
【０００１】
本考案は、ゴルフクラブを模した棒状体からなり、該棒状体によるスイングを繰り返すことで、正しいスイングを自然に体得することができるゴルフスイング練習具、及び、矯正部に関する。
【背景技術】
【０００２】
ゴルフにおいて、理想とされるスイングとして、多くのスイング理論が提案されている。スイング理論として、例えば、バックスイングにおいては、アドレス姿勢にて形成された両腕と肩とで作られる三角形を崩すことなくゴルフクラブを振り上げる。この際、頭の位置を動かすことなく、上体を捻転させるべきである、トップオブスイングにおいては、一旦、ゴルフクラブの動きを静止して、両腕が先に落ち、クラブヘッドが遅れて出るように（タメを作ってから）、ダウンスイングに向かって切り返すべきである、フォロースルーにおいては、クラブヘッドを飛球線方向に真直ぐに出した後、手首を返し、両方の肘を前方に伸ばす。すると、大きなスイングアーク（スイングの際に、クラブヘッドが描く円弧）を描いて、右手甲が上を向いたフィニッシュ姿勢を保てるようになる、など多数ある。
【０００３】
近年、ゴルフ人口の低年齢化に伴い、小さな子どもがゴルフをするようになった。特に、小さな子ども、初心者をはじめとする多くのアマチュアプレーヤが、一瞬のうちに行われるスイングをしながら、上記のようなスイング理論に則って動きをチェックすることは難しく、誤ったスイングを繰り返してしまう虞れがあった。即ち、誤ったスイングとは、小さなスイングアークでスイングしてしまい、そのために、クラブヘッドが描く円弧の遠心力が弱くなり、ゴルフボールを強く弾くことができず、飛距離を伸ばすことができない、という問題があった。
【考案の概要】
【考案が解決しようとする課題】
【０００４】
本考案は、上記課題に係る問題を解決することを目的としている。即ち、本考案は、大きなスイングアークでスイングする動作を体得することができるゴルフスイング練習具、及び、矯正部を提供することを目的とする。
【課題を解決するための手段】
【０００５】
請求項１に記載された本考案は、上記目的を達成するために、ゴルフのスイングを矯正するためのゴルフスイング練習具であって、棒状に形成されたシャフトと、前記シャフトの長手方向の一端部に設けられたグリップ部と、前記シャフトの前記一端部の先端に連なりかつ前記シャフトの直線上に設けられる矯正部と、を備えたことを特徴とするゴルフスイング練習具である。
【０００６】
請求項２に記載の本考案は、請求項１に記載の本考案において、前記シャフトは、前記矯正部を収容する筒状に形成され、前記矯正部は、前記シャフトの内側及び外側にスライド自在に取り付けられており、前記矯正部は前記シャフトの内側に収容された状態と、前記シャフトの外側に露出した状態と、で前記シャフトに固定されることを特徴とする。
【０００７】
請求項３に記載の本考案は、上記目的を達成するために、棒状に形成されたシャフトと、前記シャフトの長手方向の一端部にグリップ部が設けられたゴルフクラブ、または、ゴルフスイング練習具の、前記グリップ部に取り付けられ、前記シャフトの前記長手方向に沿って伸びた矯正部であって、前記矯正部は、可撓性を有する板状の部材と、前記部材を前記グリップ部の外周部に巻きつけた状態で、前記部材を前記グリップ部の外周部に着脱自在に固定する固定手段と、を備えたことを特徴とする矯正部である。
【考案の効果】
【０００８】
請求項１に記載の本考案によれば、棒状に形成されたシャフトと、前記シャフトの長手方向の一端部に設けられたグリップ部と、前記シャフトの前記一端部の先端に連なりかつ前記シャフトの直線上に設けられる矯正部と、を備えているので、ゴルフスイング練習具を用いてスイングする際に、ゴルフスイング練習具の使用者と、グリップ部との距離が保たれて、使用者の両方の肘が伸ばされることとなり、よって、使用者の両方の肘が伸ばされていることで、シャフトのグリップ部から離れた先端部（ヘッド）が描く円弧が大きくなり（即ち、スイングアークが大きくなり）、そのために、遠心力が強くなりゴルフボールを強く弾き、飛距離を伸ばすことができる。このように、ゴルフスイング練習具を用いることで、ゴルフスイング練習具の使用者が、両方の肘を伸ばすように意識してスイングすることとなり、大きなスイングアークでスイングする動作を体得することができるゴルフスイング練習具を提供することができる。
【０００９】
請求項２に記載の本考案によれば、前記シャフトは、前記矯正部を収容する筒状に形成され、前記矯正部は、前記シャフトの内側及び外側にスライド自在に取り付けられており、前記矯正部は前記シャフトの内側に収容された状態と、前記シャフトの外側に露出した状態と、で前記シャフトに固定されるので、使用者は、矯正部がシャフトの外側に露出した状態、または、矯正部がシャフトの内側に収容された状態、を切り替えて練習することができる。
【００１０】
請求項３に記載の本考案によれば、棒状に形成されたシャフトと、前記シャフトの長手方向の一端部にグリップ部が設けられたゴルフクラブ、または、ゴルフスイング練習具の、前記グリップ部に取り付けられ、前記シャフトの前記長手方向に沿って伸びた矯正部は、可撓性を有する板状の部材と、前記部材を前記グリップ部の外周部に巻きつけた状態で、前記部材を前記グリップ部の外周部に着脱自在に固定する固定手段と、を備えているので、例えば、実際のウッド、アイアンなどの全てのゴルフクラブやゴルフスイング練習具に取り付けることができる。よって、全てのゴルフクラブやゴルフスイング練習具に対して共通に用いることができる矯正部を提供することができる。
【００１１】
また、矯正部が実際のウッド、アイアンなどのゴルフクラブやゴルフスイング練習具に取り付けられた状態、または、矯正部が実際のウッド、アイアンなどのゴルフクラブやゴルフスイング練習具から取り外された状態、を切り替えて練習することができる。
【図面の簡単な説明】
【００１２】
【図１】本考案の第１の実施形態にかかるゴルフスイング練習具を示す側面図である。
【図２】図１に示されたゴルフスイング練習具を用いて使用者のスイング動作を説明するための図であり、（Ａ）は、アドレス姿勢を示した図であり、（Ｂ）（Ｃ）は、バックスイングを示した図であり、（Ｄ）は、トップオブスイング姿勢を示した図であり（Ｅ）（Ｆ）は、ダウンスイングを示した図であり、（Ｇ）は、インパクトを示した図であり、（Ｈ）は、フォロースローを示した図であり、（Ｉ）は、フィニッシュ姿勢を示した図である。
【図３】第２の実施形態にかかるゴルフスイング練習具を示す側面図であり、（ａ）は、矯正部が、シャフトの内側に収容された状態を示す図であり、（ｂ）は、矯正部が、シャフトの外側に露出した状態を示す図である。
【図４】（ａ）は、第３の実施形態にかかる本考案の矯正部及びこの矯正部が取り付けられたゴルフクラブを示す側面図であり、（ｂ）は、矯正部が、グリップ部の外周部に巻き付けられる様子を示す図である。
【考案を実施するための形態】
【００１３】
（第１の実施形態）
以下、本考案の第１の実施形態にかかるゴルフスイング練習具を、図１に基づいて説明する。図１に示されたゴルフスイング練習具１は、好ましくは、ドライバーに相当する長さを有する棒状に形成されたシャフト２と、前記シャフト２の長手方向（図１などの矢印Ｙに示す）の一端部に設けられたグリップ部３と、シャフト２の他端部の先端に設けられたヘッド４と、シャフト２の前記一端部の先端に連なり、かつ、シャフト２の直線上に設けられた矯正部５と、を備えている。
【００１４】
上記シャフト２は、カーボン繊維とエポキシ樹脂（ボロンなどの素材が加えられることもある）の複合材からなるカーボン・シャフト（グラファイト・シャフト）、または、金属製のスチール・シャフトである。また、シャフト２として好適な寸法は、例えば、外径２０から２２ｍｍ、重さ１６０から１９０ｇ程度である。また、シャフト２は、実際のゴルフクラブのシャフトと同じ外形及び重さであることが好ましいが、本考案はこれに限ったものではなく、シャフト２は、棒状であれば、例えば、金属製のパイプであってもよい。また、シャフト２の長手方向Ｙに沿う長さは、実際のドライバーに相当する長さを有するのが好ましいが、本考案は、これに限ったものではなく、シャフト２の長さは任意でよい。
【００１５】
上記グリップ部３は、前述したシャフト２の一端部に設けられている。グリップ部３とは、ゴルフスイング練習具１を使用する使用者が、シャフト２を「握る位置」を示している。また、グリップ部３の外周部には、滑り止めのための、ゴムなどの弾性体が被覆されている。また、本考案のグリップ部３には、ゴムなどの弾性体が被覆されているが、本考案はこれに限ったものではなく、ゴム以外の素材としてEPDM (Ethylene-Propylene-Diene-Monomer)  を始めとする各種のコンパウンド素材が被覆されていてもよい。また、グリップ部３には、ゴムなどの弾性体が被覆されているが、本考案はこれに限ったものではなく、ゴムなどの弾性体は被覆されなくてもよい。即ち、シャフト２が露出していてもよい。
【００１６】
上記ヘッド４は、球状に形成されている。また、ヘッド４は、実際のゴルフクラブのヘッド４より３０ｇ〜５０ｇ重くするのが好ましい。また、ヘッド４は、実際のゴルフクラブのヘッド４より３０ｇ〜５０ｇ重くするのが好ましいが、本考案はこれに限ったものではなく、実際のゴルフクラブのヘッド４と同じ重さであってもよく、実際のゴルフクラブのヘッド４と外形及び重さを模造した模造品であってもよい。また、本考案のゴルフスイング練習具１では、ヘッド４はなくてもよい。
【００１７】
上記矯正部５は、全長２００ｍｍから２５０ｍｍの棒状に形成されている。また、矯正部５は、グリップ部３と、ゴルフスイング練習具１の使用者との間に設けられる。
【００１８】
次に、上述したゴルフスイング練習具１の作用について説明する。
【００１９】
本考案のゴルフスイング練習具１を使用する使用者は、図２（Ａ）に示すように、使用者はグリップ部３を所定の方法で握り、両腕と肩とで三角形を形成するように構える。こうして、使用者は、アドレス姿勢となる。この際、矯正部５のシャフト２から離れた端部は、使用者に近接されている。アドレス姿勢において、矯正部５は、前述したシャフト２の一端部に設けられたグリップ部３と使用者との間に設けられているので、矯正部５によって、使用者の両方の肘が伸ばされて、グリップ部３（シャフト２）と使用者との距離が近付きすぎるのを妨げられる。こうして、矯正部５が設けられていることで、前述したシャフト２の一端部に設けられたグリップ部３と使用者とが適切な距離に保たれる。
【００２０】
図２（Ａ）に示されたアドレス姿勢から、図２（Ｂ）、（Ｃ）に示すように、上半身を捻転させながら、ゴルフスイング練習具１を振り上げる（以下、バックスイングという）。この際、使用者の両手が、該使用者の腰の高さに上がるまでは、両方の肘を曲げることなく、自然に伸ばした状態でバックスイングするのが望ましい。また、前述したシャフト２の一端部に設けられたグリップ部３と使用者との間に矯正部５が設けられているので、使用者は、両方の肘が曲がらないように意識して、バックスイングすることができる。こうして、使用者は、図２（Ｄ）に示すように、トップオブスイング姿勢となる。
【００２１】
さらに、図２（Ｄ）に示されたトップオブスイング姿勢から、図２（Ｅ）、（Ｆ）に示すように、バックスイングで捻転された上半身の捻りを戻すようにダウンスイングする。この際、両腕が先に落ち、ヘッド４が遅れて出るようにタメを作るのが好ましい。このダウンスイングにおいても、矯正部５が設けられていることで、使用者は、両方の肘が曲がらないように意識するようになる。
【００２２】
さらに、図２（Ｅ）、（Ｆ）に示すように、ダウンスイングした後、図２（Ｇ）に示すように、インパクト（ヘッド４をゴルフボールに当てる）する。
【００２３】
さらに、図２（Ｈ）に示すように、フォロースローを行う。このフォロースローにおいても、矯正部５が設けられていることで、両方の肘が曲がらないように意識してフォロースローを行うようになる。
【００２４】
また、図２（Ｅ）、（Ｆ）に示す、ダウンスイングにおいては、ヘッド４が、飛球線（ゴルフボールを飛ばしたい方向の仮想軌道）よりも内側に位置し、図２（Ｇ）に示すインパクトにおいては、ヘッド４が飛球線上に位置し、図２（Ｈ）に示す、フォロースローにおいては、ヘッド４は、飛球線の内側に位置しているのが好ましい（即ち、ヘッド４の軌道が、インサイドアウトインとなる）。
【００２５】
こうして、図２（Ｈ）に示すように、フォロースローした後、図２（Ｉ）に示すフィニッシュ姿勢となる。上述したように、矯正部５が設けられていることで、スイングの一連の動作において、使用者は、両方の肘が曲がらないように意識するので、ヘッド４が描く円弧（即ち、スイングアーク）が、大きくなる。
【００２６】
上述した実施形態によれば、棒状に形成されたシャフト２と、前記シャフト２の長手方向の一端部に設けられたグリップ部３と、前記シャフト２の前記一端部の先端に連なりかつ前記シャフト２の直線上に設けられる矯正部５と、を備えているので、ゴルフスイング練習具１を用いてスイングする際に、ゴルフスイング練習具１の使用者と、グリップ部３との距離が保たれて、使用者の両方の肘が伸ばされることとなり、よって、使用者の両方の肘が伸ばされていることで、シャフト２のグリップ部３から離れた先端部（即ち、ヘッド４）が描く円弧が大きくなり（即ち、スイングアークが大きくなり）、そのために、遠心力が強くなりゴルフボールを強く弾き、飛距離を伸ばすことができる。このように、ゴルフスイング練習具１を用いることで、ゴルフスイング練習具１の使用者が、両方の肘を伸ばすように意識してスイングすることとなり、大きなスイングアークでスイングする動作を体得することができるゴルフスイング練習具１を提供することができる。
【００２７】
（第２の実施形態）
以下、本考案の第２の実施形態にかかるゴルフスイング練習具を、図３に基づいて説明する。図３に示された、ゴルフスイング練習具１１は、棒状に形成されたシャフト１２と、前記シャフト１２の長手方向（図１などの矢印Ｙに示す）の一端部に設けられたグリップ部３と、シャフト１２の他端部の先端に設けられたヘッド４と、シャフト１２の前記一端部の先端に連なり、かつ、シャフト１２の直線上に設けられた矯正部１５と、を備えている。また、前述した第１の実施形態と同一構成部分には、同一符号を付して重複する説明を省略する。
【００２８】
上記シャフト１２は、矯正部１５を収容する筒状に形成されており、該シャフト１２の内周面には、矯正部１５の外周部に形成された、後述する雄ねじ１５ａに螺合する雌ねじ（図示しない）が形成されている。
【００２９】
上記矯正部１５は、シャフト１２に対して、長手方向Ｙに沿ってスライド自在に取り付けられている。また、矯正部１５は、シャフト１２の内側に収容された状態と、シャフト１２の内側に収容された状態からスライドされて、シャフト１２の外側に露出した状態と、でシャフト１２に固定される。また、矯正部１５の外周部には、雄ねじ１５ａが形成されている。雄ねじ１５ａは、矯正部１５の全長に亘って設けられている。また、矯正部１５のグリップ部３から離れた端部には、該矯正部１５より径が大きく形成されたフランジ部１６が設けられている。
【００３０】
次に、上述したゴルフスイング練習具１１の矯正部１５を、シャフト１２の内側に収容された状態、及び、シャフト１２の内側に収容された状態からスライドされて、シャフト１２の外側に露出された状態、で固定する方法について、説明する。
【００３１】
まず、矯正部１５を、シャフト１２の内側に収容するには、矯正部１５を、シャフト１２に対して、時計回りに回転させる。すると、徐々に、矯正部１５がスライドされて、シャフト１２の内側に挿入される。さらに、回転させると、フランジ部１６が、シャフト１２（グリップ部３）の一端部に当接する。こうして、矯正部１５は、シャフト１２の内側に収容される。
【００３２】
続いて、矯正部１５を、シャフト１２の内側に収容された状態からスライドして、シャフト１２の外側に露出された状態で固定する方法について説明する。シャフト１２の内側に収容された状態の矯正部１５を、シャフト１２に対して、反時計回りに回転させる。すると、徐々に、矯正部１５がスライドされて、矯正部１５がシャフト１２の外側に露出される。矯正部１５の回転を止めると、矯正部１５がシャフト１２の外側に露出した状態で固定される。
【００３３】
上述した実施形態によれば、シャフト１２は、矯正部１５を収容する筒状に形成され、矯正部１５は、シャフト１２の内側及び外側にスライド自在に取り付けられており、矯正部１５はシャフト１２の内側に収容された状態と、シャフト１２の外側に露出した状態と、でシャフト１２に固定されるので、使用者は、矯正部１５がシャフト１２の外側に露出した状態、または、矯正部１５がシャフト１２の内側に収容された状態、を切り替えて練習することができる。
【００３４】
また、シャフト１２の内周部には雌ねじが形成されており、矯正部１５の外周面には、前記雌ねじに螺合する雄ねじ１５ａが形成されているので、矯正部１５を、シャフト１２に対して回転させることで、長手方向Ｙに沿う矯正部１５の寸法を決めることができるので、該矯正部１５の長手方向Ｙの寸法を、例えば、ゴルフスイング練習具１１の使用者の体形などの所望の寸法に合わせることができる。
【００３５】
（第３の実施形態）
以下、第３の実施形態に係る、ゴルフクラブに取り付けられる本考案の矯正部を、図４に基づいて説明する。
【００３６】
図４に示された矯正部２５は、棒状に形成されたシャフト２と、前記シャフト２の長手方向Ｙの一端部に設けられたグリップ部３と、シャフト２の他端部の先端に設けられたヘッド２４と、を備えた、実際のゴルフクラブ２１のグリップ部３に取り付けられ、シャフト２の長手方向Ｙに沿って伸びている。また、前述した第１の実施形態と同一構成部分には、同一符号を付して重複する説明を省略する。
【００３７】
上記ヘッド２４は、チタンなどのメタル製や、カーボンとメタルとの複合材によって構成されている。また、ヘッド２４には、ゴルフボールが当たる打撃面２４ａが設けられている。
【００３８】
上記矯正部２５は、可撓性を有する板状の部材２６と、前記部材２６を前記グリップ部３の外周部に巻きつけた状態で固定する固定手段としての面ファスナー２７と、を備えている。また、矯正部２５は、グリップ部３の外周部に着脱自在に設けられている。
【００３９】
上記部材２６として、本実施形態では、長手方向Ｙに沿ってゴムホースに切り込みを入れて板状に形成されたものが用いられている。この板状に形成された部材２６の幅方向の一端部の外周面に、面ファスナー２７の後述する第１の面２８が取り付けられており、前記幅方向の他端部の内周面に、面ファスナー２７の後述する第２の面２９が取り付けられている。また、本実施形態では、可撓性を有する部材２６として、長手方向Ｙに沿ってゴムホースに切り込みを入れて板状に形成された樹脂が用いられているが、本考案はこれに限ったものではなく、部材２６は、可撓性を有していれば、樹脂でなくてもよい。
【００４０】
上記面ファスナー２７は、フック状に起毛された第１の面２８と、ループ状に密集して起毛された第２の面２９と、によって構成されており、第１の面２８に第２の面２９を押し付けることで、これら面同士が貼り付けられる。また、第１の面２８を第２の面２９から引き離すことで、これら面同士を引き剥がすことができる。
【００４１】
なお、上述した実施形態によれば、矯正部２５は、実際のゴルフクラブ２１に取り付けられているが、本考案はこれに限ったのものではなく、矯正部２５は、棒状に形成されたシャフト２と、前記シャフト２の一端部に設けられたグリップ部３と、を備えたゴルフスイング練習具に取り付けられていてもよい。
【００４２】
また、上述した実施形態によれば、固定手段として面ファスナー２７が用いられているが、本考案はこれに限ったものではなく、固定手段として、線ファスナー（ファスナー）が用いられてもよい。
【００４３】
上述した実施形態によれば、棒状に形成されたシャフト２と、前記シャフト２の長手方向の一端部にグリップ部３が設けられたゴルフクラブ２１の、前記グリップ部３に取り付けられ、前記シャフト２の前記長手方向Ｙ沿って伸びた矯正部２５は、可撓性を有する板状の部材２６と、前記部材２６を前記グリップ部３の外周部に巻きつけた状態で、前記部材２６を前記グリップ部３の外周部に着脱自在に固定する固定手段としての面ファスナー２７と、を備えているので、例えば、実際のウッド、アイアンなどの全てのゴルフクラブ２１（または、ゴルフスイング練習具）に取り付けることができる。よって、全てのゴルフクラブ２１（または、ゴルフスイング練習具）に対して共通に用いることができる矯正部２５を提供することができる。
【００４４】
また、矯正部２５が実際のウッド、アイアンなどのゴルフクラブ２１（または、ゴルフスイング練習具）に取り付けられた状態、または、矯正部２５が実際のウッド、アイアンなどのゴルフクラブ２１（または、ゴルフスイング練習具）から取り外された状態、を切り替えて練習することができる。
【００４５】
また、上述した実施形態は本考案の代表的な形態を示したに過ぎず、本考案は、実施形態に限定されるものではない。即ち、本考案の骨子を逸脱しない範囲で種々変形して実施することができる。
【符号の説明】
【００４６】
１、１１  ゴルフスイング練習具
２１  ゴルフクラブ
２  シャフト
３  グリップ部
５、１５、２５  矯正部
矢印Ｙ  長手方向
【図１】
0003167368.tif 000003
【図２】
0003167368.tif 000004
【図３】
0003167368.tif 000005
【図４】
0003167368.tif 000006
【手続補正書】
【提出日】平成23年2月9日(2011.2.9)
【手続補正１】
【補正対象書類名】明細書
【補正対象項目名】０００６
【補正方法】変更
【補正の内容】
【０００６】
請求項２に記載の本考案は、請求項１に記載の本考案において、前記シャフトは、前記矯正部を収容する筒状に形成され、前記矯正部は、前記シャフトの内側及び外側にスライド自在に取り付けられており、前記矯正部の外周面に形成された雄ねじと前記シャフトの内周面に形成された雌ねじとが螺合するように構成されていることを特徴とする。
【手続補正２】
【補正対象書類名】明細書
【補正対象項目名】０００９
【補正方法】変更
【補正の内容】
【０００９】
請求項２に記載の本考案によれば、前記シャフトは、前記矯正部を収容する筒状に形成され、前記矯正部は、前記シャフトの内側及び外側にスライド自在に取り付けられており、前記矯正部の外周面に形成された雄ねじと前記シャフトの内周面に形成された雌ねじとが螺合するように構成されているので、使用者は、矯正部がシャフトの外側に露出した状態、または、矯正部がシャフトの内側に収容された状態、を切り替えて練習することができる。
【手続補正３】
【補正対象書類名】明細書
【補正対象項目名】００３３
【補正方法】変更
【補正の内容】
【００３３】
上述した実施形態によれば、シャフト１２は、矯正部１５を収容する筒状に形成され、矯正部１５は、シャフト１２の内側及び外側にスライド自在に取り付けられており、矯正部１５の外周面に形成された雄ねじ１５ａとシャフト１２の内周面に形成された雌ねじとが螺合するように構成されているので、使用者は、矯正部１５がシャフト１２の外側に露出した状態、または、矯正部１５がシャフト１２の内側に収容された状態、を切り替えて練習することができる。
【手続補正４】
【補正対象書類名】実用新案登録請求の範囲
【補正対象項目名】全文
【補正方法】変更
【補正の内容】
【実用新案登録請求の範囲】
【請求項１】
ゴルフのスイングを矯正するためのゴルフスイング練習具であって、
棒状に形成されたシャフトと、
前記シャフトの長手方向の一端部に設けられたグリップ部と、
前記シャフトの前記一端部の先端に連なりかつ前記シャフトの直線上に設けられる矯正部と、を備えたことを特徴とするゴルフスイング練習具。
【請求項２】
前記シャフトは、前記矯正部を収容する筒状に形成され、前記矯正部は、前記シャフトの内側及び外側にスライド自在に取り付けられており、
前記矯正部の外周面に形成された雄ねじと前記シャフトの内周面に形成された雌ねじとが螺合するように構成されていることを特徴とする請求項１に記載のゴルフスイング練習具。
【請求項３】
棒状に形成されたシャフトと、前記シャフトの長手方向の一端部にグリップ部が設けられたゴルフクラブ、または、ゴルフスイング練習具の、前記グリップ部に取り付けられ、前記シャフトの前記長手方向に沿って伸びた矯正部であって、
前記矯正部は、可撓性を有する板状の部材と、
前記部材を前記グリップ部の外周部に巻きつけた状態で、前記部材を前記グリップ部の外周部に着脱自在に固定する固定手段と、を備えたことを特徴とする矯正部。